(57)【要約】【課題】携帯用超音波ミスト発生装置において、超音波６の反射波１５にともなう問題がないようにする。【解決手段】パッキン９が超音波振動子２のまわりに設けられ、タンク１と超音波振動子２間に洩れは生じない。さらに、遮蔽板１０がパッキン９または超音波振動子２の上方に設けられ、遮蔽板１０によってパッキン９が遮蔽され、多数の突起１１が遮蔽板１０の上面に形成される。突起１１は角錐状または円錐状をなす。【選択図】図１
2010094602.tif 000002
【特許請求の範囲】
【請求項１】
液体収容タンクと、
前記タンクの底面に設けられ、超音波を発振させ、前記超音波によって前記タンクの液体を振動させ、その液面から液柱を噴出させ、前記液柱によってミストを発生させる超音波振動子と、
前記タンク内に設けられ、前記超音波を伝達する伝達膜と、
前記超音波振動子のまわりに設けられ、前記タンクと前記超音波振動子間に洩れが生じないようにするパッキンと、
前記パッキンまたは前記超音波振動子の上方に配置され、前記パッキンを遮蔽する遮蔽板と、
角錐状または円錐状をなし、前記遮蔽板の上面に形成された多数の突起とからなる携帯用超音波ミスト発生装置。
【発明の詳細な説明】
【技術分野】
【０００１】
この発明は、携帯用超音波ミスト発生装置に関するものである。
【背景技術】
【０００２】
本願出願前、出願人は新しい形式の携帯用超音波ミスト発生装置を開発し、提案した。特開２００５−１１１３２８号公報（特許文献１）および特開２００６−１４２１１９号公報（特許文献２）に記載されているものがそれである。
【０００３】
各公報の装置は液体収容タンク、超音波振動子および伝達膜を有し、超音波振動子はタンクの底面に設けられ、伝達膜はタンク内に設けられる。したがって、超音波振動子によって超音波が発振され、伝達膜によって超音波が伝達され、超音波によってタンクの液体が振動し、その液面から液柱が噴出し、液柱によってミストが発生する。さらに、ノズルがタンクに接続され、エアがタンクに送られ、エアによってミストが送られ、これがノズルから噴出する。したがって、たとえば、この装置を美顔術に使用し、ミストを顔に吹き付け、皮膚に吸収させることができる。
【０００４】
この場合、タンクと超音波振動子間に漏れが生じないようにする必要があり、通常、パッキンが超音波振動子のまわりに設けられる。パッキンは環状のもので、ゴム製である。しかしながら、超音波が伝達膜に達し、伝達膜によって超音波が伝達されるとき、超音波が伝達膜から反射し、反射波がパッキンに達することはさけられない。このため、反射波がパッキンに吸収され、熱に変換され、熱によってパッキンが焦げてしまうという問題があった。
【０００５】
したがって、この発明は、携帯用超音波ミスト発生装置において、超音波の反射波にともなう問題がないようにすることを目的としてなされたものである。
【特許文献１】特開２００５−１１１３２８号公報
【特許文献２】特開２００６−１４２１１９号公報
【発明の開示】
【０００６】
この発明によれば、液体収容タンクが超音波振動子および伝達膜と組み合わされ、超音波振動子はタンクの底面に設けられ、伝達膜はタンク内に設けられる。したがって、超音波振動子によって超音波が発振され、伝達膜によって超音波が伝達され、超音波によってタンクの液体が振動し、その液面から液柱が噴出し、液柱によってミストが発生する。さらに、パッキンが超音波振動子のまわりに設けられ、タンクと超音波振動子間に洩れは生じない。さらに、遮蔽板がパッキンまたは超音波振動子の上方に設けられ、遮蔽板によってパッキンが遮蔽され、多数の突起が遮蔽板の上面に形成される。突起は角錐状または円錐状をなす。
【発明を実施するための最良の形態】
【０００７】
以下、この発明の実施例を説明する。
【０００８】
図１はこの発明にかかる携帯用超音波ミスト発生装置を示す。この装置は液体収容タンク１、超音波振動子２および伝達膜３を有し、超音波振動子２はタンク１の底面に設けられ、伝達膜３はタンク１内に設けられている。そして、タンク１の下部に液体４が充填され、伝達膜３によって液体４が封入され、タンク１の上部に液体５が導入される。したがって、超音波振動子２によって超音波６が発振され、伝達膜３によって超音波６が伝達され、超音波６によってタンク１の液体４，５が振動し、その液面７から液柱が噴出し、液柱によってミストが発生する。さらに、ノズル８がタンク１に接続され、エアがタンク１に送られ、エアによってミストが送られ、これがノズル８から噴出する。したがって、たとえば、この装置を美顔術に使用し、ミストを顔に吹き付け、皮膚に吸収させることができる。
【０００９】
さらに、この装置では、パッキン９が超音波振動子２のまわりに設けられており、タンク１と超音波振動子２間に洩れは生じない。パッキン９は環状のもので、ゴム製である。さらに、遮蔽板１０がパッキン９の上方に設けられ、遮蔽板１０によってパッキン９が遮蔽されており、多数の突起１１が遮蔽板１０の上面に形成されている。遮蔽板１０も環状のものである。図３に示すように、突起１１は円錐状または円筒状をなし、斜面１２を有する。
【００１０】
さらに、この実施例では、超音波振動子２がパッキン９にはめ込まれ、放熱板１３によってタンク１の底面が形成され、パッキン９が放熱板１３に向かって押し上げられ、放熱板１３に押し付けられている。したがって、放熱板１３と超音波振動子２間に洩れが生じず、タンク１と超音波振動子２間に洩れは生じない。放熱板１３は超音波振動子２の熱を放出するためのもので、環状である。そして、遮蔽板１０が放熱板１３の上面に取り付けられている。さらに、図２に示すように、多数の突起１１が遮蔽板１０の全周にわたって形成され、各突起１１が互いに接触または近接している。突起１１および遮蔽板１０は樹脂製である。
【００１１】
一方、伝達膜３は隔壁１４に取り付けられ、水平ではなく、一定角度傾斜するよう配置されている。したがって、超音波６が伝達膜３に達し、伝達膜３によって超音波６が伝達されるとき、超音波６が伝達膜３から反射するが、その反射波１５は垂直ではなく、斜めに進行する。
【００１２】
さらに、反射波１５がパッキン９に向かって進行するが、この装置では、遮蔽板１０によってパッキン９が遮蔽され、多数の突起１１が遮蔽板１０の上面に形成されていることは前述したとおりである。したがって、突起１１および遮蔽板１０によって反射波１５が遮断され、反射波１５がパッキン９に達することはなく、熱によってパッキン９が焦げることはない。
【００１３】
さらに、突起１１は角錐状または円錐状であることは前述したとおりである。したがって、反射波１５が突起１１に達したとき、それが突起１１から反射するが、その二次波１６の問題もない。突起１１の斜面１２によって二次波１６が誘導され、二次波１６は上向きではなく、横向きに進行する。したがって、二次波１６が隔壁１４に達することはなく、熱によって隔壁１４が焦げることもない。突起１１の角度によって二次波１６の方向を調整し、選定することもできる。
【００１４】
突起１１は角錐状または円錐状であり、斜面１２をもつ関係上、反射波１５を受けるとき、その単位面積あたりのエネルギー量は小さい。さらに、突起１１および遮蔽板１０は樹脂製であることは前述したとおりである。したがって、突起１１および遮蔽板１０に反射波１５を吸収させ、その吸収量だけ二次波１６を減少させることもできる。
【００１５】
図４は他の実施例を示す。この実施例では、遮蔽板１０が超音波振動子２の上方に配置され、遮蔽板１０によってパッキン９が遮蔽されており、多数の突起１１が遮蔽板１０の上面に形成されている。パッキン９は環状のもので、ゴム製である。遮蔽板１０も環状のものである。突起１１は円錐状または円筒状をなす。その他の構成は図１のものと同様である。
【００１６】
したがって、図１のものと同様、突起１１および遮蔽板１０によって反射波１５が遮断され、反射板１５がパッキン９に達することはなく、熱によってパッキン９が焦げることはない。さらに、突起１１の斜面によって二次波１６が誘導され、二次波１６は上向きではなく、横向きに進行する。したがって、二次波１６が隔壁１４に達することはなく、熱によって隔壁１４が焦げることもない。突起１１の角度によって二次波１６の方向を調整し、選定することもできる。
【００１７】
突起１１は角錐状または円錐状であり、反射波１５を受けるとき、その単位面積あたりのエネルギー量は小さい。さらに、突起１１および遮蔽板１０は樹脂製である。したがって、突起１１および遮蔽板１０に反射波１５を吸収させ、その吸収量だけ二次波１６を減少させることもできる。
【図面の簡単な説明】
【００１８】
【図１】この発明の実施例を示す断面図である。
【図２】図１の突起および遮蔽板の平面図である。
【図３】図２の突起の斜視図である。
【図４】他の実施例を示す断面図である。
【図５】図４の突起および遮蔽板の平面図である。
【符号の説明】
【００１９】
１  タンク
２  超音波振動子
３  伝達膜
４，５  液体
６  超音波
９  パッキン
１０  遮蔽版
１１  突起
１５  反射波
【図１】
2010094602.tif 000003
【図２】
2010094602.tif 000004
【図３】
2010094602.tif 000005
【図４】
2010094602.tif 000006
【図５】
2010094602.tif 000007